(57)【要約】  本発明は、送信品質および／または受信品質を改善するための、モバイル無線デバイス、基地局、送信機ネットワーク、方法、ソフトウェアモジュールおよびサーバに関し、主要な態様によると、モバイル無線ネットワークにおける通信のためのモバイル無線デバイスが提案され、上記モバイル無線デバイスは、モバイル無線ネットワークにおいて動作し、および、上記モバイル無線デバイスに割り当てられたモバイル無線信号により通信するように構成されており、上記モバイル無線デバイスは、上記モバイル無線信号の受信品質および／または送信品質を改善すべく、テスト結果に応じて、基地局と、少なくとも１つのさらなるモバイル無線デバイスとの間のモバイル無線信号を増幅するようにさらに構成されている。
2019525531.tif 000002
【特許請求の範囲】
【請求項１】
モバイル無線ネットワークにおける通信のためのモバイル無線デバイスであって、前記モバイル無線デバイスは、モバイル無線ネットワーク内で動作し、および、前記モバイル無線デバイスに割り当てられたモバイル無線信号により通信するように構成されており、前記モバイル無線デバイスは、前記モバイル無線信号の受信品質および／または送信品質を改善すべく、テスト結果に応じ、基地局と少なくとも１つのさらなるモバイル無線デバイスとの間のモバイル無線信号を増幅するようにさらに構成されており、前記テスト結果は、前記モバイル無線デバイス、前記少なくとも１つのさらなるモバイル無線デバイス、前記基地局、および／またはモバイル無線プロバイダとの間の通信により導出される、モバイル無線デバイス。
【請求項２】
前記テスト結果は、前記モバイル無線デバイス、前記さらなるモバイル無線デバイス、前記基地局および／または前記モバイル無線プロバイダに割り当てられた少なくとも１つのパラメータに依存する、請求項１に記載のモバイル無線デバイス。
【請求項３】
前記モバイル無線デバイスに割り当てられた前記パラメータ、および、前記さらなるモバイル無線デバイスに割り当てられた前記パラメータは、エネルギー供給情報の項目、アキュムレータの状況、アキュムレータの耐用年数、受信レベル、送信レベル、製造者情報の項目、オペレーティングシステム識別子、顧客仕様、前記モバイル無線プロバイダの識別子、クレジットポイントレベル、アカウントバランス、承認状況、データ量、提供時間、使用時間、および／またはユーザ入力である、請求項２に記載のモバイル無線デバイス。
【請求項４】
前記基地局および前記モバイル無線プロバイダに割り当てられた前記パラメータは、前記モバイル無線プロバイダの識別子、受信レベル、送信レベル、リリース情報項目、製造者情報項目、オペレーティングシステム識別子、顧客仕様、クレジットポイントレベル、アカウントバランス、データ量、提供時間、契約仕様、および／または使用時間である、請求項２に記載のモバイル無線デバイス。
【請求項５】
前記モバイル無線デバイスは、前記モバイル無線信号を転送するように構成されており、前記モバイル無線信号は、前記少なくとも１つのさらなるモバイル無線デバイスに、第３のモバイル無線デバイスに、および／または、ＷｉＦｉシステムに割り当てられている、請求項１から４のいずれか一項に記載のモバイル無線デバイス。
【請求項６】
前記モバイル無線デバイスは、モバイル無線信号の増幅の管理のためのアプリケーションが備えられている、請求項１から５のいずれか一項に記載のモバイル無線デバイス。
【請求項７】
前記モバイル無線デバイスは、モバイル無線電話、ラップトップ、ノートパソコン、タブレットＰＣ、スマートフォン、またはモバイル無線ネットワークで動作するためのサブスクライバ識別子が提供されているデバイスである、請求項１から６のいずれか一項に記載のモバイル無線デバイス。
【請求項８】
請求項１から７のいずれか一項に記載のモバイル無線デバイスと協働するために構成された基地局であって、
前記基地局は、前記モバイル無線デバイスと前記基地局との間の通信により、前記テスト結果の前記導出を可能にするように構成されている、基地局。
【請求項９】
請求項８に記載の少なくとも１つの基地局で構成される送信機ネットワーク。
【請求項１０】
モバイル無線デバイスによりモバイル無線信号を増幅するための方法であって、前記方法は、テスト結果に応じて、モバイル無線デバイスによるモバイル無線信号の増幅を初期化し、
前記モバイル無線信号は、基地局と少なくとも１つのさらなるモバイル無線デバイスとの間のモバイル無線信号であり、前記少なくとも１つのさらなるモバイル無線デバイスの前記モバイル無線信号の受信品質および／または送信品質を改善すべく、前記テスト結果が前記モバイル無線デバイス、前記少なくとも１つのさらなるモバイル無線デバイス、前記基地局および／またはモバイル無線プロバイダの間の通信により導出される、方法。
【請求項１１】
前記テスト結果は、前記モバイル無線デバイス、前記さらなるモバイル無線デバイス、前記基地局、および／または前記モバイル無線プロバイダに割り当てられた少なくとも１つのパラメータに依存する、請求項１０に記載の方法。
【請求項１２】
前記モバイル無線デバイスに割り当てられた前記パラメータ、および、前記さらなるモバイル無線デバイスに割り当てられた前記パラメータは、エネルギー供給情報の項目、アキュムレータの状況、アキュムレータの耐用年数、受信レベル、送信レベル、製造者情報の項目、オペレーティングシステム識別子、顧客仕様、前記モバイル無線プロバイダの識別子、クレジットポイントレベル、アカウントバランス、承認状況、データ量、提供時間、使用時間、および／またはユーザ入力である、請求項１１に記載の方法。
【請求項１３】
前記基地局および前記モバイル無線プロバイダに割り当てられた前記パラメータは、前記モバイル無線プロバイダの識別子、受信レベル、送信レベル、リリース情報項目、製造者情報項目、オペレーティングシステム識別子、顧客仕様、クレジットポイントレベル、アカウントバランス、データ量、提供時間、契約仕様、および／または使用時間である、請求項１１に記載の方法。
【請求項１４】
コンピュータを請求項１から７のいずれか一項に記載のモバイル無線デバイス若しくは請求項８に記載の基地局として機能させるためのソフトウェアモジュール、または、コンピュータに請求項１０から１３のいずれか一項に記載の方法を実行させるための、ソフトウェアモジュール。
【請求項１５】
請求項１０から１３のいずれか一項に記載の方法を実行するために、特に、請求項８に記載の基地局と協働するために構成されたサーバ。
【発明の詳細な説明】
【技術分野】
【０００１】
導入にあたる説明
本発明は、送信品質および／または受信品質を改善するためのモバイル無線デバイス、基地局、送信機ネットワーク、方法、ソフトウェアモジュールおよびサーバに関する。
【０００２】
モバイル無線通信においては、基地局とモバイル無線デバイスとの間で情報信号が交換されることが知られている。ここで、情報信号は電話呼び出し信号、データ信号、オーディオ信号、ビデオ信号、および／またはインターネットを介して伝播された信号である。本願においては、モバイル無線サブスクライバ間で交換される上記の情報信号の変形例およびその他の想起可能な信号も扱う。また、「サブスクライバ」という表現は、通信相手およびサーバまたは基地局等の技術的コンポーネントを意味するものとして理解されることを指摘する。この場合、情報信号はモバイル無線ネットワークにおける送信機、受信機、または基地局等のモバイル無線サブスクライバ間で、エアインタフェースを介して交換される。多くの場合、モバイル無線デバイスは、モバイル無線ネットワークにおける他のサブスクライバと情報信号を交換すべく、十分な送信品質および／または受信品質を有していないことも知られている。多くの場合において、不十分な送信品質および／または受信品質は、弱い送信信号および／または受信信号、信号干渉、並びに／または、情報信号のスクリーニングおよび／または好ましくない反射を生じさせる、転送間隔距離上における障害物によって招来されている。このようなスクリーニングまたは干渉は、例えば、建物の壁または窓によって生じ得る。
【０００３】
送信品質および／または受信品質を改善すべく、先行技術でリピータと呼ばれるものが知られており、リピータは情報信号を受信し、増幅後にそれを再送信する。先行技術による従来の市販リピータを用いるには、前提として第一に、ネットワークタイプの互換性が保証される必要があるということが要求される。その結果、ＧＳＭ（登録商標）、２Ｇ、３Ｇ、４Ｇ、５Ｇまたはそれ以降といったような任意の所望のネットワークタイプについて、すべてのリピータが使用できるわけではない。また、リピータは受信機ごとに、特別に予め構成される必要がある。また、リピータは予め定められた位置に永久的に搭載または設置され、その結果、リピータの機能は予め定義されたローカルエリアのみで適用可能となり、このエリアのみに制約される。当該リピータには電気的エネルギーが別個に供給される必要もあり、その結果、一方では空間的な充足に起因し、他方ではエネルギー供給の不存在に起因し、柔軟な配置および利用が不可能となっている。送信品質および／または受信品質の低下の有無に関しては常に予測できるわけではなく、その結果、これらは特定のエリアについては検出されないままであるか、あるいは一時的に生じるのみとなる点も特記すべきである。従って、従来の市販リピータは、このような場合には使用できない。また、リピータの使用は高コストにつながるので、従来の市販リピータの調達は経済的な見地からは不利な点を示す。従って、従来の市販リピータは、経済的および技術的な両方の見地から、多くの制約および不利な点につながる。
【０００４】
本発明は、言及した不利な点を軽減する、または少なくとも当該状況を改善する目的に基づく。この目的は、添付の特許請求の範囲によって達成される。特許請求の範囲は、送信品質および／または受信品質を改善するためのモバイル無線デバイス、基地局、送信機ネットワーク、方法、ソフトウェアモジュールおよびサーバに関する。
【０００５】
本発明の第１の態様によると、モバイル無線ネットワークにおける通信のためのモバイル無線デバイスが提案される。モバイル無線デバイスは、モバイル無線ネットワークで動作し、および、モバイル無線デバイスに割り当てられたモバイル無線信号により通信するように構成されている。モバイル無線デバイスは、モバイル無線信号の受信品質および／または送信品質を改善すべく、モバイル無線デバイスが、テスト結果に応じて、基地局と少なくとも１つのさらなるモバイル無線デバイスとの間のモバイル無線信号を増幅するようにさらに構成されている、ことを特徴とする。以下に、上記に示したものの複数がより良く当てはまるように説明する。本発明による上記のモバイル無線デバイスは、バッテリおよび／またはアキュムレータおよび／またはモバイルの目的のために設けられた別の電気供給源を備えたモバイル通信デバイスであり、その結果、モバイル無線デバイスは、電気的エネルギーを供給されるために、ワイヤでバインドされる必要がなく、異なる位置において柔軟に動作してよい。また、モバイル無線デバイスは、サブスクライバ識別子を備えるように構成され、その結果、サブスクライバ識別子により、モバイル無線ネットワークにおいてモバイル無線デバイスの間違いのない識別子が得られてよい。このようなサブスクライバ識別子は、具体的には、ＳＩＭ（Ｓｕｂｓｃｒｉｂｅｒ  Ｉｄｅｎｔｉｔｙ  Ｍｏｄｕｌｅ）または電子識別子として提供される。「モバイル無線ネットワーク」という表現は、複数の異なるサブスクライバ間におけるモバイル通信のためのネットワークを意味するものとして理解されたい。本発明および具体的には本発明によるモバイル無線デバイスは、従来に言うようなモバイル無線ネットワークには限定されず、クロスモバイル無線ネットワーク形式でも本発明に係る解決手段を有効化させ得る。このことは、単一の特定のモバイル無線ネットワークにおいて、および／または、より広域なモバイル無線ネットワークにおいて、他のサブスクライバと通信し、増幅を達成し、従って受信品質および／または送信品質における改善を達成するようなモバイル無線デバイスが提供されることを意味する。モバイル無線信号の増幅は、テスト結果に応じて実行され、ここで、テスト結果は、複数のパラメータのテスト、および／または、手動入力の結果を表わし、テスト結果を用いて、当該パラメータは前もって判断済みであるか、または、増幅プロシージャに関する決定がなされる前の時点において判断される。テスト結果は、概して、増幅を開始または増幅を防止する役割を果たす。具体的には、テスト結果とは、予め定義されたパラメータおよび／または入力に対するリソースを作成する数学的計算、または比較演算の結果であり、テスト結果は、特定のパラメータを基に、および／または、手動入力を基に、増幅に関し単純なトリガをもたらす。以下、さらなるパラメータについて幾分詳しく説明する。これによって、テスト結果の異なる実施形態が明らかになる。テスト結果は必ずしも導き出されず、または、モバイル無線デバイスにおいて生じるが、テスト結果は、外部の刺激の結果であってよいことも念頭に置かれたい。従って、本発明によると、モバイル無線デバ��スは、具体的には、増幅を実行するための信号または開始信号のみを含むことも規定される。
【０００６】
本発明のさらなる態様によると、モバイル無線デバイスは、テスト結果がモバイル無線デバイス、少なくとも１つのさらなるモバイル無線デバイス、基地局および／またはモバイル無線プロバイダ間の通信から導き出される、ことを特徴とする。上記した通り、ここで意味することは、テスト結果の導出について、パラメータおよび／または手動入力が、異なるモバイル無線コンポーネントにより、それらの間で互いに交換されてよく、従って、当該モバイル無線コンポーネント間での通信が行われる。モバイル無線コンポーネントは、具体的には、モバイル無線デバイス、さらなるモバイル無線デバイス、基地局、またはモバイル無線プロバイダである。
【０００７】
好ましくは、本発明によるモバイル無線デバイスは、テスト結果が少なくとも１つのパラメータに依存し、当該パラメータはモバイル無線デバイス、さらなるモバイル無線デバイス、基地局および／またはモバイル無線プロバイダに割り当てられる、ことを特徴とする。この場合、異なるタイプのパラメータが扱われ、当該パラメータは技術的な理由のために、モバイル無線ネットワークにおける１つの特定のコンポーネントのみに割り当てられ、具体的には、モバイル無線デバイス、さらなるモバイル無線デバイス、基地局、および／またはモバイル無線プロバイダのみに割り当てられる。この点において、モバイル無線デバイスに割り当てられたパラメータ、および、さらなるモバイル無線デバイスに割り当てられたパラメータは、具体的には、エネルギー供給情報の項目、アキュムレータの状況、アキュムレータの耐用年数、受信レベル、送信レベル、製造者情報の項目、オペレーティングシステム識別子、顧客仕様、モバイル無線プロバイダの識別子、クレジットポイントレベル、アカウントバランス、承認状況、データ量、提供時間、使用時間および／またはユーザ入力である。「エネルギー供給情報」という表現は、例えば、電源ソケット、アキュムレータパックを用いるか、一体型バッテリまたは一体型アキュムレータを用いるか、例えば、ポータブル太陽電池等のモバイル電気サポートを用いるかを問わず、モバイル無線デバイスおよび／またはさらなるモバイル無線デバイスが何らかの態様において、電気的エネルギーが供給されるべきであることを意味するものとして理解されたい。この場合、具体的には、本発明による増幅は、モバイル無線デバイスが十分な電気的エネルギーおよび／または電気的エネルギーへの好適なアクセスを有する場合に初期化されるため、増幅に用いられるべきモバイル無線デバイスにとって電気的エネルギーの利用可能性は重要である。結果的に、アキュムレータの状況およびアキュムレータの耐用年数という用語は、前述のデバイスにより良く当てはまる。故に、増幅のために受信レベルは重要であり、基地局であれ、あるいはさらなるモバイル無線デバイスであれ、モバイル無線デバイスはそれ自体が十分な受信品質を有する必要がある。製造者情報は、例えば、互換性をチェックするべく、および／または、特定の製造者のためにのみ本発明による解決手段を使用するべく用いられてよく、この場合、モバイル無線デバイスのオペレーティングシステムの識別情報（ｉＯＳ、Ａｎｄｒｏｉｄ（登録商標）等）も用いられてよい。顧客仕様は、モバイル無線ネットワークにおける顧客若しくはサブスクライバの仕様、または、ネットワークオペレータ側の顧客に関する若しくはプロバイダの顧客に関する仕様を特徴付け、その結果、本発明による解決手段は、少なくとも１つの特定の顧客仕様が存在する状態で用いられる。モバイル無線プロバイダの識別子は、本発明による解決手段の利用または提供のためのパラメータとして使用されてもよく、その結果、より良い受信品質および／または送信品質が得られるべく、特定のサプライヤまたはプロバイダのみがこれらを使用し、および／または、特定のサプライヤまたはプロバイダの顧客グループに対し、これらを利用可能にする。クレジットポイントレベルまたはアカウントバランスは、概して、本発明による解決手段の提供を制限するポイントレベルであることを意味し、その結果、管理の問題として、クレジットポイントレベルまたはアカウントバランスを基に、どのくらいの頻度で、または、どのくらいの間、特定のモバイル無線サブスクライバは、さらなるモバイル無線デバイスのために本発明による解決手段を提供するか、および／または、さらなるモバイル無線デバイスを用いてよいかについて判断される。クレジットポイントレベルまたはアカウントバランスを基にした管理は、具体的には、仮想ポイントシステムを基に、または、金銭総額への変換により構成されてよい。同様に、本発明による解決手段の使用は、データ量（ダウンロードおよび／またはアップロード）に応じて制限されてよい。承認状況として、手動の調整設定を考慮してよく、これは、位置、日、時点、継続時間、時間窓等のカレンダーデータに関連してよい。使用時間としては、これまでに言及したものと同様に、特定の時間が提供されてよく、または除外されてよい。これまでに言及したデータは、また予め定められてもよく、その結果、当該調整設定に基づき、本発明による解決手段の後からの自動利用が、抑制または開始されてよい。これらはまた、システムまたはモバイル無線サブスクライバのユーザにとって事柄を容易化すべく、ユーザのカレンダー内の任意の所望のエントリにリンクされてもよい。エネルギー供給情報、アキュムレータの状況、アキュムレータの耐用年数、受信レベル、送信レベル、製造者情報の項目、オペレーティングシステム識別子、顧客仕様、モバイル無線プロバイダの識別子、クレジットポイントレベル、アカウントバランス、承認状況、データ量、提供時間、使用時間および／またはユーザ入力のパラメータは、管理の目的のために、特に、比較および本発明による解決手段の使用の開始または抑制のために、特にテスト結果の導出のために、個別にまたは任意の所望の組み合わせにおいて役割を果たす。
【０００８】
さらに好ましくは、基地局およびモバイル無線プロバイダに割り当てられたパラメータは、モバイル無線プロバイダの識別子、受信レベル、送信レベル、リリース情報項目、製造者情報項目、オペレーティングシステム識別子、顧客仕様、クレジットポイントレベル、アカウントバランス、データ量、提供時間、契約仕様および／または使用時間である。この場合、導出するテスト結果の使用／格納は、それぞれのモバイル無線デバイス上で、または、基地局、プロバイダ／サプライヤ等の他のコンポーネント上でローカルに実施されてよいことを特記すべきである。
【０００９】
さらに好ましくは、モバイル無線デバイスは、少なくとも１つのさらなるモバイル無線デバイス、第３のモバイル無線デバイスおよび／またはＷｉＦｉシステムに割り当てられたモバイル無線信号を転送するように構成されている。この場合、本発明によると、第３のモバイル無線デバイスが含まれることにより、複数のモバイル無線デバイスから成るチェーン構成が作成され、全く受信できない状態、または不十分な受信状態のモバイル無線デバイスと、十分な送信品質および／または受信品質を持つモバイル無線デバイスとの間のより大きな距離間隔がカバーされてよい、ことが規定される。ＷｉＦｉシステムへの転送に係る第２の代替例は、既存のＷｉＦｉシステムを介して、より良い供給をもたらす役割を果たし、その結果、ＷｉＦｉシステムにより、十分な送信品質および／または受信品質を持つモバイル無線デバイスにより、外部の基地局に対する通信が実施される場合、屋内配電または屋内供給が実現されるが、屋内領域への転送はＷｉＦｉシステムにより行われる。
【００１０】
本発明によると、モバイル無線デバイスには、モバイル無線信号の増幅の管理のためのアプリケーションが備えられている、ことも規定される。これが意味することは、本発明は、ハードウェアレベルでの完全な実現、および、ハードウェアコンポーネントとソフトウェアコンポーネントを用いた部分的な実現の両方を提案する。従って、モバイル無線デバイスには、本発明による解決手段の管理に用いられるアプリケーションとしてのソフトウェアコンポーネントが提供されている、ことが規定される。
【００１１】
本発明によると、モバイル無線デバイスは、モバイル無線電話、ラップトップ、ノートパソコン、タブレットＰＣ、スマートフォン、またはモバイル無線ネットワークにおいて動作するためのサブスクライバ識別子が提供されたデバイスである。従って、本発明によるデバイスは使用に至らされ、当該デバイスは、具体的には、モバイルセクタ内に存在するものとして、および、ポータブルであるとみなされ、その結果、特定のモバイル無線サブスクライバが送信および／または受信を得られない場合、または低い品質のみの場合、情報信号の自発的な増幅が行われる。この文脈においては、これまで未使用のままであった機能も使用され、位置および時間の両方に関し、当該機能は柔軟に利用可能にされてよい。
【００１２】
本発明によると、また、本明細書に記載のような本発明によるモバイル無線デバイスと共に動作または協働するように構成された基地局も提案される。本発明による基地局は、モバイル無線デバイスへの必要なパラメータおよび／または特定の命令、並びに／または、モバイル無線デバイスからそれぞれのプロバイダへの必要なパラメータおよび／または信号を転送可能である。また、本発明によると、本明細書に記載されるような少なくとも１つの基地局で構成される送信機ネットワークが提案される。この結果、本発明による解決手段の適用範囲は、広がる。
【００１３】
本発明に係るさらなる態様に関し、モバイル無線信号の増幅のための方法が提案され、当該方法は、テスト結果に応じて、モバイル無線デバイスによるモバイル無線信号の増幅が初期化され、この場合、少なくとも１つのさらなるモバイル無線デバイスにおけるモバイル無線信号の受信品質および／または送信品質を改善すべく、モバイル無線信号は、基地局と、少なくとも１つのさらなるモバイル無線デバイスとの間のモバイル無線信号を含む、ことを特徴とする。
【００１４】
本発明によると、方法がさらに提案され、当該方法は、テスト結果がモバイル無線デバイス、少なくとも１つのさらなるモバイル無線デバイス、基地局および／またはモバイル無線プロバイダ間の通信から導き出される、ことを特徴とする。
【００１５】
本発明によると、さらなる方法が提案され、当該方法は、テスト結果が、モバイル無線デバイス、さらなるモバイル無線デバイス、基地局および／またはモバイル無線プロバイダに割り当てられ少なくとも１つのパラメータに依存する、ことを特徴とする。
【００１６】
本発明によると、さらなる方法が提案され、当該方法は、モバイル無線デバイスに割り当てられたパラメータ、および、さらなるモバイル無線デバイスに割り当てられたパラメータは、エネルギー供給情報項目、アキュムレータの状況、アキュムレータの耐用年数、受信レベル、送信レベル、製造者情報の項目、オペレーティングシステム識別子、顧客仕様、モバイル無線プロバイダの識別子、クレジットポイントレベル、アカウントバランス、承認状況、データ量、提供時間、使用時間、および／またはユーザ入力のである、ことを特徴とする。
【００１７】
本発明によると、さらなる方法が提案され、当該方法は、基地局およびモバイル無線プロバイダに割り当てられたパラメータは、モバイル無線プロバイダの識別子、受信レベル、送信レベル、情報の承認項目、情報の製造者項目、オペレーティングシステム識別子、顧客仕様、クレジットポイントレベル、アカウントバランス、データ量、提供時間、契約仕様、および／または使用時間である、ことを特徴とする。
【００１８】
本発明によりさらに提案されるものは、本発明によるデバイスのうちの１つを実現するための、および／または、本発明による方法のうちの１つを実行するための、ソフトウェアモジュールまたはソフトウェアプロダクトである。ソフトウェアモジュールは、永久的および／または一時的にストレージ媒体上に格納されるように構成される。さらに好ましくは、ソフトウェアモジュールは、コンピュータユニットにより動作状態に置かれるように構成される。さらに好ましくは、ソフトウェアモジュールは、サーバ、基地局、プロバイダシステム（サーバ／ネットワーク）等において少なくとも部分的に有効化され得るように構成されており、他のモバイル無線サブスクライバに対し、開始結果を提供する。本発明によるソフトウェアモジュールは、コンピュータユニットと協働して、および、適切な媒体上の一時的または永久的なストレージの下でのみ用いられ得ることは明らかである。ソフトウェアモジュールまたはソフトウェアプロダクトは、ソースコード、ソースコードからの任意の所望の派生物の両方を意味するものとして理解されるべきであり、このようなものとしては、例えばソースコードの実行可能な変形例といったものが挙げられ、同義語として理解されるべきである。
【００１９】
また、本発明により、本明細書に記載の方法のうちのいずれかを実行するために、特に、本明細書に記載の基地局のうちのいずれかと協働するために構成されたサーバが提案される。
【００２０】
さらに好ましくは、モバイル無線デバイスおよび／またはさらなるモバイル無線デバイスは、情報信号を受動的にのみ増幅するように構成されており、その結果、モバイル無線デバイスおよび／またはさらなるモバイル無線デバイスは、エアインタフェースから受信された情報信号を分析しない。従って、本発明によるモバイル無線デバイスおよび／またはさらなるモバイル無線デバイスは、情報信号を受信および増幅するように構成されている。さらに好ましくは、本発明による方法は、さらなる分析をすることなく、情報信号を受信および増幅するように、考案されている。
【００２１】
この場合、好ましくは、情報信号のための特定の周波数範囲が調整され、および、設定されてよい。
【００２２】
さらに好ましくは、モバイル無線デバイスおよび／またはさらなるモバイル無線デバイスおよび／または方法は、事前選択を実行すべく、情報信号の分析を実行するように考案されている。
【００２３】
好ましくは、モバイル無線デバイスおよび／またはさらなるモバイル無線デバイスおよび／または方法は、少なくとも１つの特定のモバイル無線サブスクライバに割り当てられた情報信号を増幅するように規定されている。さらに好ましくは、アプリケーションプレーンで、それぞれのモバイル無線デバイス上の情報信号の増幅を管理または開始する本発明によるアプリケーションが用いられる。
【００２４】
好ましくは、本発明により、エアインタフェースに存在する情報信号が受信および増幅されることが規定され、および、代替例として、特定のモバイル無線デバイスに対し宛てられた特定の情報信号を導き出すための追加のステップも規定され、および、これらは最初に導き出され且つ増幅される。
【００２５】
言及した第１の変形例の増幅は、増幅する側のモバイル無線デバイスが、情報信号内のデータが、特定のモバイル無線デバイスに属するかについては検査しないので、一種の「ブラインド」増幅として指定されてよい。一方、第２の変形例は、増幅する側のモバイル無線デバイスが情報信号のデータを調べ、特定のモバイル無線デバイスへの少なくとも割り当てを判断し、その後、増幅プロシージャを実行するので、一種の特定増幅の変形例として指定されてよい。
【００２６】
以下、本発明は、複数の図面を基に追加的に説明する。この文脈において、添付図面および添付図面に関する図の説明は、上記の説明に対する限定を表わしておらず、明確性を加えるものとして機能するのみであることに注意されたい。本発明の本質において、多くの想起可能な実施形態を導き出すことができるが、それらは、依然として特許請求の範囲に係る保護範囲に属する。
【図面の簡単な説明】
【００２７】
【図１】本発明による一実施形態を実施した過程における簡素化および理想化された情報信号の空間的分配を示す。
【図２】本発明により、ダウンリンク信号（ＤＬ）を増幅するブロック図を示す。
【図３】本発明により、アップリンク信号（ＵＬ）を増幅するブロック図を示す。
【図４】さらなる第３のモバイル無線デバイスが参加する、本発明によるさらなる実施形態を実施した過程における簡素化および理想化された情報信号の空間的分配を示す。
【図５】パラメータの交換およびテスト結果の利用に対する異なる通信変形例を示す。
【発明を実施するための形態】
【００２８】
図１は、基地局ＢＳおよび建物Ｇを示し、ここでは、モバイル無線デバイスＡおよびさらなるモバイル無線デバイスＢが建物Ｇの内部に存在する。基地局ＢＳは、さらなるモバイル無線デバイスＢに対しダウンリンク信号ＤＬを送信し、ここで当該ダウンリンク信号ＤＬは、建物Ｇによるスクリーニングに起因し、さらなるモバイル無線デバイスＢに到達しない、または、ひずみ信号としてのみ到達する。よりわかりやすく区別するために、ここで、ダウンリンク信号は破線矢印で示され、アップリンク信号は点線矢印で示される。しかしながら、モバイル無線デバイスＡはそのより良い位置、すなわち建物Ｇの窓の箇所に起因して、エアインタフェースに存在する当該ダウンリンク信号ＤＬを受信可能であり、および当該ダウンリンク信号ＤＬを増幅可能であり、その結果、当該ダウンリンク信号ＤＬはこの後、さらなるモバイル無線デバイスＢによって受信され、ここでは、この受信されたダウンリンク信号はＤＬＲ（Ｒは受信されたを表わす）として示される。上記シナリオと同様に、さらなるモバイル無線デバイスＢは、基地局ＢＳに対しアップリンク信号ＵＰを送信し、ここで、当該アップリンク信号ＵＬは建物Ｇによるスクリーニングに起因し、基地局ＢＳによって受信されず、すなわち、それはひずみ信号として到達する。しかしながら、モバイル無線デバイスＡは、エアインタフェースに存在する当該アップリンク信号ＵＬを受信および増幅可能であり、その結果、当該アップリンク信号ＵＬはこの後、基地局ＢＳによって受信され、ここでは、この受信されたアップリンク信号はＵＬＲ（Ｒは受信されたを表わす）として示される。この場合において、図１中に示すものは、大幅に簡素化して示されたものであり、例えば、モバイル無線デバイスＡからのすべての情報信号が示されているわけではない点に注意されたい。また、さらなるモバイル無線デバイスＢからモバイル無線デバイスＡへの情報信号ＵＬは、ＢからＡに具体的に送信された情報信号ではなく、電波においてＡのために用いられてよいアップリンク信号ＵＬである。しかしながら、Ａに対する目的の送信が行われてよいことは除外されない。
【００２９】
図２は、本発明による、ダウンリンク信号ＤＬの増幅のための複数のステップから成るブロック図を示す。第１のステップ「ＢＳはＢに対しＤＬを送信する」において、基地局ＢＳは、さらなるモバイル無線デバイスＢに対し、ダウンリンク信号ＤＬを送信する。第２のステップにおいて、ＢはＢＳからダウンリンク信号ＤＬを受信できない、またはひずみ信号としてのみ到達すると明確に示されている。しかしながら、また図１に基づくように、モバイル無線デバイスＡは、ダウンリンク信号ＤＬを受信可能である。さらなるステップにおいて、テスト結果ＰＥが導き出され、ここで、これは、モバイル無線デバイスＡに関するテスト結果を含み、従ってＰＥＡという略語である。結果的に、Ａの増幅機能の可能性として、テスト結果ＰＥＡが、唯一決定的である。ＰＥＡが正の場合、「ＡがＢのためにＤＬを増幅する」と示されるように、Ａによる増幅が行われる。しかしながら、ＰＥＡが負であると判明すると、Ａは非アクティブのままであり、増幅は行われない。増幅が正常に行われた後、Ｂはダウンリンク信号ＤＬを受信できる。
【００３０】
図３は、本発明による、アップリンク信号ＵＬの増幅のための複数のステップから成るブロック図を示す。第１のステップ「ＢはＢＳに対しＵＬを送信する」において、さらなるモバイル無線デバイスＢは、基地局ＢＳに対しアップリンク信号ＵＬを送信する。しかしながら、ＢＳはひずみ信号のみで、Ｂからアップリンク信号ＵＬを受信できない。しかしながら、モバイル無線デバイスＡは、アップリンク信号ＵＬを受信する位置にある。さらなるステップにおいて、Ａの増幅機能の可能性として決定的である、テスト結果ＰＥＡが導き出される。ＰＥＡの結果が正であれば、増幅が行われる。しかしながら、ＰＥＡが負であると判明すると、Ａによる増幅は行われない。Ａによって増幅が実行された後、ＢＳはＢから来るアップリンク信号ＵＬを受信できる。
【００３１】
図４は、基地局ＢＳおよび建物Ｇを示し、ここでは、モバイル無線デバイスＡ、さらなるモバイル無線デバイスＢおよび第３のモバイル無線デバイスＣが建物Ｇの内部に存在する。基地局ＢＳは、第３のモバイル無線デバイスＣに対しダウンリンク信号ＤＬを送信し、ここで当該ダウンリンク信号ＤＬは、建物Ｇによるスクリーニングに起因し、第３のモバイル無線デバイスＣに到達せず、すなわち、ひずみ信号となる。よりわかりやすく区別するために、ダウンリンク信号は破線矢印で示され、アップリンク信号は点線矢印で示される。しかしながら、モバイル無線デバイスＡは、より良い位置、すなわち建物Ｇの窓の箇所に起因して、エアインタフェースに存在するダウンリンク信号ＤＬを受信および増幅可能であり、その結果、当該ダウンリンク信号ＤＬは、次にさらなるモバイル無線デバイスＢから受信され、ここで、この事例においては、モバイル無線デバイスＢは、モバイル無線デバイスＡと第３のモバイル無線デバイスＣとの間の中間局として機能し、その結果、２回転送または増幅されたダウンリンク信号ＤＬは、最終的に第３のモバイル無線デバイスＣによって受信され、ＤＬＲ（Ｒは受信されたを表わす）として示される。これと同様に、第３のモバイル無線デバイスＣは、基地局ＢＳに対しアップリンク信号ＵＬを送信し、ここで、当該アップリンク信号ＵＬは建物Ｇによるスクリーニングに起因し、基地局ＢＳによって受信されず、すなわち、それはひずみ信号として到達するのみである。しかしながら、モバイル無線デバイスＢは、エアインタフェースに存在する当該アップリンク信号ＵＬを受信および増幅する位置に存在し、その結果、アップリンク信号ＵＬは、次にモバイル無線デバイスＡによって受信されてよく、再びＡによって増幅された後、基地局ＢＳによって受信され、ここで、この受信されたアップリンク信号はＵＬＲ（Ｒは受信されたを表わす）として示される。従って、ここでは、情報信号のチェーン化された増幅が行われており、当該情報信号が基地局ＢＳと第３のモバイル無線デバイスＣとの間で交換される。本発明によると、エアインタフェースに存在する情報信号を受信および増幅可能であるのみでなく、特定の情報信号を導き出すための追加のステップも実行可能であり、当該特定の情報信号は、特定のモバイル無線デバイスに対し宛てられたものであり、および、最初に導き出され且つ増幅される。言及した第１の変形例の増幅は、増幅する側のモバイル無線デバイスが、情報信号内のデータが、特定のモバイル無線デバイスに属するかについては検査しないので、一種の「ブラインド」増幅として説明されてよい。ここで、言及した第２の変形例は、増幅する側のモバイル無線デバイスが情報信号のデータを調べ、少なくとも１つが特定のモバイル無線デバイスに属することを検出および判断し、その後、増幅を実行するので、一種の特定増幅の変形例として指定されてよい。この場合において、図４中に示されたものも、非常に簡素化して示されたものであり、例えば、モバイル無線デバイスＡおよびＢからのすべての情報信号は示されているわけではないことを指摘しておく。また、第３のモバイル無線デバイスＣによって、モバイル無線デバイスＢを介してモバイル無線デバイスＡに送信された情報信号ＵＬは、ＣからＢを介してＡに具体的に送信された情報信号ではなく、電波中、Ａに利用可能なアップリンク信号ＵＬであり、その結果、ここでいう「ブラインド」増幅変形例が図４に示されている。もちろん、Ａに対する、または、Ｂを介してのＡに対する目的の送信が行われてよいことは除外されず、その結果、特定の増幅が有効化される。
【００３２】
図５は、テスト結果を判断するための、または、テスト結果を導き出すためのパラメータの交換のための複数の例示的な変形例５．１から５．６を示す。５．１はテスト結果を判断するために、プロバイダおよびモバイル無線デバイスＡを含む、第１の変形例を示す。この場合、モバイル無線デバイスＡおよび／またはモバイル無線デバイスＡに割り当てられたサブスクライバ識別情報（ＳＩＭカードおよび／または電子識別子としての）に、当該プロバイダによって、情報の項目が直接提供される。当該情報の項目は、モバイル無線デバイスＡの動作を判断し、または、特定の条件によっては、これを定義若しくは内部にプログラムする。本発明によると、他のモバイル無線デバイスのための情報信号のアクティブな増幅が判断可能なだけでなく、他のモバイル無線デバイスにより増幅された情報信号の受動的な利用も判断可能であり、故にこれはなされた特定の判断によって、または、本明細書で言及するパラメータに応じて判断されてよい、ことも規定される。図５中の５．１に基づき、モバイル無線デバイスＡの増幅動作に関し、直接的な判断が行われる。
【００３３】
図５中の第２の変形例５．２は、プロバイダ、基地局、およびモバイル無線デバイスＡを示す。矢印は、パラメータのフロー方向を示し、ここで、パラメータとは、上記の説明で言及した単独のまたは任意の所望の組み合わせにおけるパラメータであってよい。
【００３４】
５．２によると、パラメータはこれらの３つのコンポーネント間で交換されてよく、ここで、当該交換はそれぞれの場合において、異なる時点において行われてよく、異なるテスト結果をもたらしてよい。その結果、常に、その時点に存在する状況に従い、増幅する、増幅しない、増幅を利用する、または増幅を利用しないことに関する決定がなされてよい。この場合において、テスト結果の判断は、プロバイダ、基地局、またはモバイル無線デバイスＡのいずれかにおいてなされてよい。
【００３５】
図５中、５．３は５．２と同一の構造と共に、追加のモバイル無線デバイスＢを示す。矢印は、パラメータの交換の可能性を示し、それぞれの場合において、個々のコンポーネントは、テスト結果を導き出す場所を表わしてよく、その結果、テスト結果は、プロバイダにおいて、基地局において、モバイル無線デバイスＡにおいて、またはモバイル無線デバイスＢにおいて導き出されてよく、これはＡおよび／またはＢにおける情報信号の増幅をもたらす。図５の５．４には、ＡとＢとの間でのパラメータの交換の可能性が示されている。５．５に示すものは、Ａ、ＢまたはＣにおけるパラメータの交換およびテスト結果を導き出すための対応パスを持つ、３つのモバイル無線デバイスＡ、ＢおよびＣから成るチェーン構成である。５．６に示すものは、５．５と同一の構造と共に、モバイル無線デバイスＡとモバイル無線デバイスＣとの間でパラメータを交換するための追加のパスを持つものである。
【図１】
2019525531.tif 000003
【図２】
2019525531.tif 000004
【図３】
2019525531.tif 000005
【図４】
2019525531.tif 000006
【図５】
2019525531.tif 000007
【国際調査報告】
2019525531.tif 000008
2019525531.tif 000009